(57)【要約】【課題】電線配索作業の作業性が向上され、誤配索の発生を防止乃至は低減することができる、新規な構造の電池配線モジュールを提供する。【解決手段】一列に並べられた複数の電池セル１４における隣接する電池セル１４を電気的に接続する複数のバスバー２０と、一端が外部接続用端子３４に接続され、他端に設けられた接続部２８が何れかのバスバー２０に接続される複数の被覆電線３２と、バスバー２０を収容するバスバー用収容枠部２２と、被覆電線３２を配索する電線配索用通路４２が設けられた電線配索体４４と、電線配索体４４に組付けられるサブアッシプロテクタ５８とを含み、サブアッシプロテクタ５８は複数の被覆電線３２を保持する電池配線モジュール１０である。【選択図】図３
2020194675.tif 000002
【特許請求の範囲】
【請求項１】
一列に並べられた複数の電池セルにおける隣接する前記電池セルを電気的に接続する複数のバスバーと、
一端が外部接続用端子に接続され、他端に設けられた接続部が何れかの前記バスバーに接続される複数の被覆電線と、
前記バスバーを収容するバスバー用収容枠部と、前記被覆電線を配索する電線配索用通路が設けられた電線配索体と、
前記電線配索体に組付けられるサブアッシプロテクタとを含み、
前記サブアッシプロテクタは複数の前記被覆電線を保持する電池配線モジュール。
【請求項２】
前記サブアッシプロテクタは複数の前記被覆電線を前記複数の配索経路毎に分けて保持する請求項１に記載の電池配線モジュール。
【請求項３】
前記サブアッシプロテクタが、
前記外部接続用端子に接続される前記被覆電線を保持する基端側電線保持部と、
前記基端側電線保持部に保持された前記被覆電線を、複数の前記配索経路に分けて保持する複数の分岐電線保持部と
を含む請求項２に記載の電池配線モジュール。
【請求項４】
前記基端側電線保持部および各前記分岐電線保持部の少なくとも１つが、前記電線配索体に対向して配置される上壁と、前記上壁から前記電線配索体に向かって突出すると共に隙間を隔てて対向する一対の側壁と、各前記側壁の突出端側から他方の前記側壁に向かって延びる爪部を有しており、
前記上壁と前記側壁と前記爪部によって電線が保持される請求項３に記載の電池配線モジュール。
【請求項５】
前記分岐電線保持部の一対の側壁が前記電線配索体の前記電線配索用通路を構成する一対の側壁の対向面間に収容されるようになっている請求項３または請求項４に記載の電池配線モジュール。
【請求項６】
前記基端側電線保持部が、前記被覆電線の延び出し方向を規制する規制片を有している請求項３から請求項５の何れか１項に記載の電池配線モジュール。
【請求項７】
前記電線配索体が、複数の前記電池セルの一方側の電極端子側に配置されており、前記バスバー用収容枠部と前記電線配索用通路を備える第一配索部と、複数の前記電池セルの他方側の電極端子側に配置されており、前記バスバー用収容枠部と前記電線配索用通路を備える第二配索部と、を有し、
前記サブアッシプロテクタが、前記電線配索体の長手方向の中間部分に組み付けられており、
複数の前記分岐電線保持部が、前記第一配索部の一端側に前記被覆電線を分岐する第一分岐部と、他端側に前記被覆電線を分岐する第二分岐部と、前記第二配索部の一端側に前記被覆電線を分岐する第三分岐部と、他端側に前記被覆電線を分岐する第四分岐部とを含む請求項３から請求項６の何れか１項に記載の電池配線モジュール。
【請求項８】
前記電線配索体の前記第一配索部と前記第二配索部が、伸縮変形可能な第一伸縮部を介して連結されており、
前記サブアッシプロテクタが、前記第一分岐部と前記第二分岐部を含む第一配索部側部位と、前記第三分岐部と前記第四分岐部を含む第二配索部側部位とを含んでおり、
前記第一配索部側部位は前記第一配索部に嵌合され、
前記第二配索部側部位は前記第二配索部に嵌合され、
前記第一配索部側部位と前記第二配索部側部位は伸縮変形可能な第二伸縮部を介して連結されている請求項７に記載の電池配線モジュール。
【請求項９】
前記サブアッシプロテクタが、把持部を有している請求項１から請求項８の何れか１項に記載の電池配線モジュール。
【発明の詳細な説明】
【技術分野】
【０００１】
本開示は、複数の電池セルに装着される複数の電線と各電線を配索する電線配索体とを有する電池配線モジュールに関する。
【背景技術】
【０００２】
電気自動車やハイブリッド自動車等の電動車両では、車両を駆動するための電源として複数の電池セルを積層した電池集合体を用いている。電池集合体は、例えば、特許文献１に開示された電池配線モジュールを用いて、一列に並べられた複数の電池セルの電気的な接続が行われる。電池配線モジュールは、隣り合う電池セルの電極を接続するバスバーを収容するバスバー用収容枠部や、バスバーに接続された被覆電線を配索する電線配索用通路等が設けられた電線配索体を備えている。これにより、電線配索体に対して、多数のバスバーや多数の被覆電線が、安定した状態で組み付けられるようになっている。
【先行技術文献】
【特許文献】
【０００３】
【特許文献１】特開２０１２−１６４５９１号公報
【発明の概要】
【発明が解決しようとする課題】
【０００４】
しかしながら、特許文献１に記載の電池配線モジュールでは、電線配索体のバスバー用収容枠部に収容された何れかのバスバーに対して、所定の被覆電線の他端に設けられた接続部を接続し、接続部から延び出す被覆電線を電線配索用通路に収容させる必要がある。それゆえ、複数の被覆電線が絡み合ったり、被覆電線の配索方向が分からなくなるなどの問題が生じ易く、電線配索作業の作業性の悪化や、誤配索が生じるおそれもあった。
【０００５】
そこで、電線配索作業の作業性が向上され、誤配索の発生を防止乃至は低減することができる、新規な構造の電池配線モジュールを提供することを目的とする。
【課題を解決するための手段】
【０００６】
本開示の電池配線モジュールは、一列に並べられた複数の電池セルにおける隣接する前記電池セルを電気的に接続する複数のバスバーと、一端が外部接続用端子に接続され、他端に設けられた接続部が何れかの前記バスバーに接続される複数の被覆電線と、前記バスバーを収容するバスバー用収容枠部と、前記被覆電線を配索する電線配索用通路が設けられた電線配索体と、前記電線配索体に組付けられるサブアッシプロテクタとを含み、前記サブアッシプロテクタは複数の前記被覆電線を保持する電池配線モジュールである。
【発明の効果】
【０００７】
本開示によれば、電線配索作業の作業性が向上され、誤配索の発生を防止乃至は低減することができる電池配線モジュールを提供することができる。
【図面の簡単な説明】
【０００８】
【図１】図１は、実施形態１に係る電池配線モジュールと電池集合体を示す分解斜視図である。
【図２】図２は、図１に示す電池配線モジュールの分解斜視図である。
【図３】図３は、図１に示す電池配線モジュールの要部拡大斜視図である。
【図４】図４は、図３におけるＩＶ−ＩＶ断面要部拡大図である。
【図５】図５は、図３に示すサブアッシプロテクの拡大斜視図である。
【図６】図６は、図５に示すサブアッシプロテクを別の方向から見た斜視図である。
【発明を実施するための形態】
【０００９】
＜本開示の実施形態の説明＞
最初に、本開示の実施態様を列記して説明する。
本開示の電池配線モジュールは、
（１）一列に並べられた複数の電池セルにおける隣接する前記電池セルを電気的に接続する複数のバスバーと、一端が外部接続用端子に接続され、他端に設けられた接続部が何れかの前記バスバーに接続される複数の被覆電線と、前記バスバーを収容するバスバー用収容枠部と、前記被覆電線を配索する電線配索用通路が設けられた電線配索体と、前記電線配索体に組付けられるサブアッシプロテクタとを含み、前記サブアッシプロテクタは複数の前記被覆電線を保持する電池配線モジュールである。
【００１０】
本開示の電池配線モジュールによれば、電線配索体に対して後付けされるサブアッシプロテクタを備えており、このサブアッシプロテクタの複数の被覆電線を保持するようになっている。そして、予め、サブアッシプロテクタに対して複数の被覆電線を配索した状態で保持させておくことができる。それゆえ、複数の被覆電線が配索経路毎に整理されて保持されたサブアッシプロテクタを、電線配索体に組み付けるだけで、各被覆電線を所定の方向に配索して、被覆電線の他端に設けられた接続部を所定のバスバー用収容枠部に容易に収容することができる。その結果、従来構造で問題となっていた、被覆電線の絡みや、配索方向の間違いなどの問題が生じ難く、被覆電線の配索作業の作業性向上と、誤配索発生の低減乃至は防止を有利に達成することができる。
【００１１】
なお、サブアッシプロテクタに保持される被覆電線の他端に設けられる接続部としては、電圧検出端子や測温素子など、要求される用途に応じた任意のものが採用され得る。また、部品交換等の観点から、サブアッシプロテクタは、電線配索体に対してロック機構等を介して着脱自在に組み付けられることが好ましいが、離脱不能に組み付けられてもよい。さらに、サブアッシプロテクタは、１つの電線配索体に対して１つ設けるようにしてもよいし、電線配索体が装着される電池集合体の構成によっては、複数設けることもできる。
【００１２】
（２）前記サブアッシプロテクタは複数の前記被覆電線を前記複数の配索経路毎に分けて保持することが好ましい。予め、サブアッシプロテクタに対して複数の被覆電線を配索経路毎に分けて保持させておくことができることから、複数の被覆電線が保持されたサブアッシプロテクタを、電線配索体に組み付けるだけで、各被覆電線を所定の方向に配索することができる。それゆえ、従来構造で問題となっていた、被覆電線の絡みや、配索方向の間違いなどの問題がより生じ難く、被覆電線の配索作業の作業性向上と、誤配索発生の低減乃至は防止を一層有利に達成することができる。
【００１３】
複数の被覆電線の複数の配索経路としては、例えば、外部接続端子に接続される経路と、電線配索用通路の一方側に接続される経路と他方側に接続される経路等が含まれ得る。外部接続端子が複数種類ある場合等には、異なる外部接続端子に向かう複数の配索経路が含まれ得る。
【００１４】
（３）前記サブアッシプロテクタが、前記外部接続用端子に接続される前記被覆電線を保持する基端側電線保持部と、前記基端側電線保持部に保持された前記被覆電線を、複数の前記配索経路に分けて保持する複数の分岐電線保持部とを含むことが好ましい。サブアッシプロテクタが外部接続用端子に接続される被覆電線を保持する基端側電線保持部を有することにより、外部機器と接続される外部接続用端子（コネクタ等を構成）と基端側電線保持部との間の被覆電線の長さ寸法を、予め正確に設定することができる。従来構造では、被覆電線の他端に設けられた接続部をバスバーに接続させ、接続部から延び出す被覆電線を電線配索用通路に挿通して、電線配索体に設けられた電線引出口からまとめて引き出す必要がある。そのため、公差の積み重なりにより電線引出口から外部接続用端子（コネクタ等を構成）までの被覆電線の寸法が不正確になりがちであった。このような従来構造の問題も有利に解決して、組み付け作業性の更なる向上や製品品質の安定性を実現することができる。
【００１５】
（４）上記（３）において、前記基端側電線保持部および各前記分岐電線保持部の少なくとも１つが、前記電線配索体に対向して配置される上壁と、前記上壁から前記電線配索体に向かって突出すると共に隙間を隔てて対向する一対の側壁と、各前記側壁の突出端側から他方の前記側壁に向かって延びる爪部を有しており、前記上壁と前記側壁と前記爪部によって電線が保持されることが好ましい。両側壁から突出する一対の爪部の間から上壁に向かって被覆電線を押し込むことで、上壁に片持ち梁状に保持された一対の側壁の外方への弾性変形や、爪部の上壁側への弾性変形により、上壁と側壁と爪部で囲まれた領域内へ被覆電線を容易に挿入することができる。挿入後は一対の側壁や爪部が弾性復帰して、爪部間の隙間が縮小乃至は消滅することで、上記領域内に電線を安定して保持することができる。
【００１６】
（５）上記（３）または（４）において、前記分岐電線保持部の一対の側壁が、前記電線配索体の前記電線配索用通路を構成する一対の側壁の対向面間に収容されるようになっていることが好ましい。これにより、被覆電線の噛み込みを有利に防止することができる。
【００１７】
（６）上記（３）から（５）のいずれか１つにおいて、前記基端側電線保持部が、前記被覆電線の延び出し方向を規制する規制片を有していることが好ましい。基端側電線保持部が規制片を有することにより、基端側電線保持部から引き出される複数の被覆電線の延出方向を有利に規制することができ、他部材との干渉防止や、省スペースな被覆電線の配索を実現することができる。特に、規制片に対して被覆電線が固定されている場合には、被覆電線の延出方向や、コネクタ等を構成する外部接続用端子と基端側電線保持部との間の被覆電線の長さ寸法を、所望の方向や寸法に安定して保持することができる。ここで、規制片に対する被覆電線の固定方法は、結束テープや結束バンド等を用いた任意の固定方法が採用され得る。
【００１８】
（７）上記（３）から（６）のいずれか１つにおいて、前記電線配索体が、複数の前記電池セルの一方側の電極端子側に配置されており、前記バスバー用収容枠部と前記電線配索用通路を備える第一配索部と、複数の前記電池セルの他方側の電極端子側に配置されており、前記バスバー用収容枠部と前記電線配索用通路を備える第二配索部と、を有し、前記サブアッシプロテクタが、前記電線配索体の長手方向の中間部分に組み付けられており、複数の前記分岐電線保持部が、前記第一配索部の一端側に前記被覆電線を分岐する第一分岐部と、他端側に前記被覆電線を分岐する第二分岐部と、前記第二配索部の一端側に前記被覆電線を分岐する第三分岐部と、他端側に前記被覆電線を分岐する第四分岐部とを含むことが好ましい。サブアッシプロテクタが、電線配索体における第一配索部と第二配索部のそれぞれの一端側と他端側に電線を分岐する第一から第四の４つの分岐部を備えている。これにより、電線配索体に組み付けられる複数の被覆電線を考えられ得る配索方向に対して確実に整理して保持することができる。しかも、サブアッシプロテクタは電線配索体の長手方向の中間部分の任意の部位に組み付けられればよい。ここで、長手方向の中間部分とは、長手方向の両端部を除く任意の部分を指す。それゆえ、例えば、基端側電線保持部から引き出される被覆電線の一端が接続される外部接続用端子の装着部位に近い位置に、サブアッシプロテクタを組み付けるようにすることができる。これにより、外部接続用端子まで引き延ばす被覆電線の長さを短くしたり、任意の部位から被覆電線を引き出すことができ、設計自由度の向上を図ることができる。
【００１９】
（８）上記（７）において、前記電線配索体の前記第一配索部と前記第二配索部が、伸縮変形可能な第一伸縮部を介して連結されており、前記サブアッシプロテクタが、前記第一分岐部と前記第二分岐部を含む第一配索部側部位と、前記第三分岐部と前記第四分岐部を含む第二配索部側部位とを含んでおり、前記第一配索部側部位は前記第一配索部に嵌合され、前記第二配索部側部位は前記第二配索部に嵌合され、前記第一配索部側部位と前記第二配索部側部位は伸縮変形可能な第二伸縮部を介して連結されていることが好ましい。電池集合体においては、各電池セルの一対の電極端子間の寸法公差があることから、寸法公差を吸収するように、複数の電池セルの一方側の電極端子側に配置されている電線配索体の第一配索部と、他方側の電極端子側に配置されている第二配索部とが、第一伸縮部を介して連結されている。さらに、サブアッシプロテクタが、第一分岐部と第二分岐部を含む第一配索部側部位と、第三分岐部と第四分岐部を含む第二配索部側部位とを含んでおり、第一配索側部位と第二配索側部位が伸縮変形可能な第二伸縮部を介して連結されている。それゆえ、サブアッシプロテクタの第一配索部側部位を第一配索部に組み付け、第二配索部側部位を第二配索部に組み付ける構成を採用した場合でも、サブアッシプロテクタが電線配索体の第一配索部と第二配索部の変位に追従して伸縮変位することができる。これにより、各電池セルの一対の電極端子間の寸法公差の吸収が可能なサブアッシプロテクタを電線配索体に安定して組み付け状態に保持できる。
【００２０】
（９）前記サブアッシプロテクタが、把持部を有していることが好ましい。サブアッシプロテクタを電線配索体に組み付ける際に、作業者や組み付け用の設備が把持部を把持することができ、サブアッシプロテクタの組み付け作業を容易化することができる。さらに、サブアッシプロテクタに被覆電線を組み付ける際には、把持部を治具に保持させることができ、被覆電線の組み付け作業の容易化も併せて達成できる。
【００２１】
＜本開示の実施形態の詳細＞
本開示の電池配線モジュールの具体例を、以下に図面を参照しつつ説明する。なお、本開示は、これらの例示に限定されるものではなく、特許請求の範囲によって示され、特許請求の範囲と均等の意味および範囲内でのすべての変更が含まれることが意図される。
【００２２】
＜実施形態１＞
以下、実施形態１に係る電池配線モジュール１０について具体的に説明する前に、電池集合体１２の概要について図１を参照しながら説明する。なお、以下では、Ｚ方向を上方、Ｙ方向を前方、Ｘ方向を右方として説明する。また、複数の同一部材については、一部の部材にのみ符号を付し、他の部材については符号を省略する場合がある。
【００２３】
＜電池集合体１２＞
電池集合体１２は、一列に配列された複数の電池セル１４を備える。なお、図１においては、２４個の電池セル１４を備える電池集合体１２が例示されているが、電池集合体１２が備える電池セル１４の個数はこれに限らない。また、電池集合体１２は、一列に配列された複数の電池セル１４を複数列分備える場合もある。
【００２４】
複数の電池セル１４は、電池セルケース１６内において、一定方向に沿って配列される。より詳細には、電池セル１４は、一対の正電極端子１８ａおよび負電極端子１８ｂが突設された電極形成面を有する。以下では、当該電極形成面を電池セル１４の上面と呼ぶことがある。複数の電池セル１４は、電池セルケース１６内において、その電極形成面を上に向けて配列される。さらに、複数の電池セル１４は、３個毎に、隣接する電池セル１４の正電極端子１８ａと負電極端子１８ｂとが交互に位置するように配列される。したがって、複数の電池セル１４の配列方向に沿って形成される端子列１８ｃは、３個毎に、正電極端子１８ａと負電極端子１８ｂとが交互に並ぶことになる。
【００２５】
隣接する電池セル１４の間には樹脂等により形成された図示しないセパレータが配置され、複数の電池セル１４は、電池セルケース１６内に配列された状態において、互いの側面が密着しないように微小な隙間をおいて配列される。隣接する電池セル１４の間に微小な隙間が形成されることによって、各電池セル１４の放熱性を最低限確保することができる。
【００２６】
当該電池セル１４を並列および直列に接続するために電池集合体１２は、電池配線モジュール１０を備えている。電池配線モジュール１０は、各端子列１８ｃに取付けられる。
【００２７】
＜電池配線モジュール１０＞
図１〜図３に示すように、本開示の実施形態１の電池配線モジュール１０は、一列に並べられた複数の電池セル１４における３個毎に隣接する電池セル１４を電気的に接続する複数のバスバー２０と、複数のバスバー２０を収容するバスバー用収容枠部２２を有する絶縁プレート２４を備えている。
【００２８】
＜バスバー２０＞
バスバー２０は、最も左方側の３個の電池セル１４の負電極端子１８ｂと最も右方側の３個の電池セル１４の正電極端子１８ａを電気的に接続する。また、バスバー２０は、３個の電池セル１４を一セットとして隣接するセットの正電極端子１８ａと負電極端子１８ｂを電気的に接続する。これにより、並列接続された３個の電池セル１４のセットが直列に接続されている。
【００２９】
各バスバー２０は、導電体、例えば、銅製の板部材であり、電池セル１４の正電極端子１８ａと負電極端子１８ｂがそれぞれ通される一対の貫通孔２６，２６を備えている。これにより、正電極端子１８ａと負電極端子１８ｂに各貫通孔２６を挿入してそれぞれ図示しないナットを螺合させることで、各バスバー２０と正電極端子１８ａおよび／または負電極端子１８ｂを固定して電気的に接続可能としている。
【００３０】
各バスバー２０の一つの貫通孔２６には、導電体、例えば、銅製の板部材で形成された接続部を構成する電圧検出端子２８がそれぞれ重ね合わされるようになっている。各電圧検出端子２８には圧着部３０が設けられており、例えば、絶縁被覆を剥いて芯線を露出させた被覆電線３２の一方の端部が接続されている。被覆電線３２は、もう一方の端部が外部接続用端子３４に接続されてコネクタ３６を構成するハウジング内に収容されており、コネクタ３６を介して図示しない電圧検出器に接続されている。これにより、各セットの電池セル１４の電圧を検出可能に形成されている。加えて、被覆電線３２の一方の端部に測温素子３８が接続されたものも有しており、被覆電線３２のもう一方の端部が外部接続用端子３４に接続されてコネクタ３６を介して図示しない温度検出器に接続されている。
【００３１】
＜絶縁プレート２４＞
絶縁プレート２４は、例えば、剛性樹脂製の板部材であり、電池集合体１２の正電極端子１８ａと負電極端子１８ｂがそれぞれ挿入される複数の穴を備えている。絶縁プレート２４は、電池集合体１２の正電極端子１８ａあるいは負電極端子１８ｂが突設された面に対応する大きさに形成されている。絶縁プレート２４のバスバー用収容枠部２２は、断面がＵ字状の溝であり、溝に収容され底面に載置されたバスバー２０と、バスバー２０に重ね合わされた電圧検出端子２８を図示しない係合部材で固定可能に形成されている。隣り合うバスバー用収容枠部２２間は逆Ｕ字状の連結部４０によって連結されており、連結部４０が伸縮することにより隣り合うバスバー用収容枠部２２間の公差が有利に吸収されている。なお、絶縁プレート２４の長手方向の両端部及び中央部には、測温素子３８を収容する測温素子収容部４１が形成されている。
【００３２】
また、絶縁プレート２４には、図３および図４に示すように、被覆電線３２を配索する電線配索用通路４２が設けられている。バスバー用収容枠部２２と電線配索用通路４２を含めて電線配索体４４が構成されている。電線配索用通路４２は、例えば、断面Ｕ字状の樋状部４６の上方開口部を蓋４８で塞いで筒状に形成されている。蓋４８の縁には、樋状部４６の外壁に設けられた係合枠体５０に係合固定される係合突起５２が設けられている。被覆電線３２を電線配索用通路４２の樋状部４６に収容した後に、蓋４８を樋状部４６に組付けることにより、筒状の電線配索用通路４２が形成可能となっている。
【００３３】
＜電線配索体４４＞
電線配索体４４は、複数の電池セル１４の一方側（前方側）の電極端子１８側に配置され、バスバー用収容枠部２２と電線配索用通路４２を備える第一配索部５４を有している。加えて、電線配索体４４は、複数の電池セル１４の他方側（後方側）の電極端子１８側に配置され、バスバー用収容枠部２２と電線配索用通路４２を備える第二配索部５６を有している。第一配索部５４と第二配索部５６は、図２および図３に示すように、伸縮変形可能な７つの第一伸縮部５７を介して連結されている。
【００３４】
＜サブアッシプロテクタ５８＞
後述するように、電線配索用通路４２には、複数の被覆電線３２を５つの配索経路毎に分けて保持した状態で電線配索体４４に組み付けられる合成樹脂製のサブアッシプロテクタ５８を含んでいる。複数の被覆電線３２の複数の配索経路としては、例えば、外部接続用端子３４に接続される経路と、電線配索用通路４２の長手方向一方側に接続される経路と他方側に接続される経路等が含まれ得る。すなわち、サブアッシプロテクタ５８は、図３，図５および図６に示すように、基端側電線保持部６０と、分岐電線保持部としての第一分岐部６２ａ，第二分岐部６２ｂ，第三分岐部６２ｃ，第四分岐部６２ｄと、を含んでいる。なお、外部接続用端子３４が接続される外部機器が複数種類ある場合等には、異なる外部機器に向かう複数の配索経路が含まれ得る。
【００３５】
サブアッシプロテクタ５８は、図３，図５および図６に示すように、第一配索部側部位６４と、第二配索部側部位６６と、両者６４，６６を連結する連結部６８と、を含んでいる。サブアッシプロテクタ５８は、電線配索体４４の長手方向の中間部分における中央よりも右寄りの部位に組み付けられているが、これに限定されない。第一配索部側部位６４は、第一配索部５４の一端側に被覆電線３２を分岐する第一分岐部６２ａと、他端側に被覆電線３２を分岐する第二分岐部６２ｂと、を含んでいる。第二配索部側部位６６は、第二配索部５６の一端側に被覆電線３２を分岐する第三分岐部６２ｃと、他端側に被覆電線３２を分岐する第四分岐部６２ｄと、を含んでいる。加えて、第一配索部５４の第一分岐部６２ａ側には、左方斜め上方に突出後に左方に向かって延び出す基端側電線保持部６０が設けられている。基端側電線保持部６０の左方に向かって延び出す規制片７０によって、規制片７０に固定される被覆電線３２の延び出し方向が規制されている。
【００３６】
基端側電線保持部６０と各分岐部６２ａ，６２ｂ，６２ｃ，６２ｄと連結部６８はいずれも、絶縁プレート２４に構成されている電線配索体４４に対向して配置される上壁７２と、上壁７２から電線配索体４４に向かって突出すると共に隙間を隔てて対向する一対の側壁７４，７４を有している。第一分岐部６２ａを除く３つの分岐部６２ｂ，６２ｃ，６２ｄと連結部６８の一対の側壁７４，７４にはそれぞれ、各側壁７４の突出端側から他方の側壁７４に向かって延びる一対の爪部７６，７６が形成されている。上壁７２と一対の側壁７４，７４と一対の爪部７６，７６によって、被覆電線３２を収容して保持する被覆電線３２が保持される領域７７が区画されている。なお、本実施形態１では、一対の爪部７６，７６の突出寸法が異なっている。
【００３７】
加えて、分岐部６２ａ，６２ｂ，６２ｃにおける一対の側壁７４，７４の外面の基端部には、逆Ｌ字状の係合突起７８が突設されている。また、第一配索部側部位６４と第二配索部側部位６６の上壁７２には、長手方向中央部から外方に向かって突出する矩形平板状の把持部８０が設けられている。さらに、連結部６８の中央部には、Ｕ字状の第二伸縮部８２が設けられている。
【００３８】
＜電池配線モジュール１０の組み付け行程＞
続いて、電池配線モジュール１０の組み付け行程の一例について説明する。電池配線モジュール１０の組み付け行程は、以下の記載に限定されない。
まず、一方の端部に電圧検出端子２８が圧着され、もう一方の端部に外部接続用端子３４が接続された被覆電線３２と、一方の端部に測温素子３８が接続され、もう一方の端部に外部接続用端子３４が接続された被覆電線３２を、例えば配索治具を用いて所望の形状に構成する。このように所望の形状に構成された複数の被覆電線３２に対して、サブアッシプロテクタ５８を組み付ける。組み付けは、例えば、配線板の所定位置にサブアッシプロテクタ５８を図６に示す上下逆向きでセットして行ってもよい。この時、サブアッシプロテクタ５８の一対の把持部８０，８０が治具に保持されることで、サブアッシプロテクタ５８が配線板状で位置決めされて保持される。このようにして、上下逆向きにセットされたサブアッシプロテクタ５８の基端側電線保持部６０と各分岐部６２ａ〜６２ｄに対して、上方から複数の被覆電線３２を組み付ける。この際、被覆電線３２が保持される領域７７を有する第二分岐部６２ｂ，第三分岐部６２ｃ，第四分岐部６２ｄと、連結部６８では、一対の爪部７６，７６が下方に向かって弾性変形すると共に一対の側壁７４が外方に向かって弾性変形することにより、領域７７への複数の被覆電線３２の挿入が許容され、複数の被覆電線３２が領域７７に収容されると、一対の爪部７６，７６が弾性復帰して複数の被覆電線３２の領域７７からの離脱が防止される。ここで、サブアッシプロテクタ５８の各分岐部６２ａ〜６２ｄや連結部６８に配索された被覆電線３２はサブアッシプロテクタ５８に対して非固定の状態で保持されている。
そして、外部接続用端子３４はコネクタ３６に挿入される。基端側電線保持部６０に配索された外部接続用端子３４に接続される被覆電線３２を、基端側電線保持部６０からコネクタ３６までの寸法が、所定の寸法となるように調整した状態で、規制片７０に対して例えば結束テープ８４を用いて固定する。なお、規制片７０に対する被覆電線３２の固定方法は、結束テープ８４の他に結束バンド等を用いた任意の固定方法が採用され得る。
【００３９】
次に、サブアッシプロテクタ５８に組み付けられた状態のワイヤハーネス８６を、絶縁プレート２４の各バスバー用収容枠部２２にそれぞれバスバー２０が収容固定された電線配索体４４に対して組み付ける。はじめに、電線配索体４４の所定部位にサブアッシプロテクタ５８を装着する。この装着は、サブアッシプロテクタ５８の係合突起７８を、樋状部４６の係合枠体５０に係合することによって行われる。この時、電線配索用通路４２の樋状部４６の上方開口部がサブアッシプロテクタ５８によって部分的に覆蓋される。この状態で、第一分岐部６２ａ〜第四分岐部６２ｄにより、配索経路毎に整理されて保持された被覆電線３２を、電線配索体４４の電線配索用通路４２に収容する。そして、電圧検出端子２８を所定のバスバー２０に重ね合わせて各バスバー用収容枠部２２に固定し、測温素子３８を、絶縁プレート２４の測温素子収容部４１に固定して所定のバスバー２０に重ね合せる。この際、各分岐部６２ａ〜６２ｄや連結部６８に配索された被覆電線３２がサブアッシプロテクタ５８に対して非固定とされていることから、作業をスムーズに行うことができる。その後、樋状部４６の上方開口部を覆蓋するように蓋４８を固定する。この固定は、蓋４８の係合突起５２を、樋状部４６の係合枠体５０に係合することによって行われる。その結果、サブアッシプロテクタ５８が、複数の被覆電線３２が複数の配索経路毎に分けて保持した状態で電線配索体４４に組み付けられて、本開示の電池配線モジュール１０が完成する。これにより、第一配索部側部位６４は第一配索部５４に嵌合され、第二配索部側部位６６は第二配索部５６に嵌合されるようになっており、第一配索部側部位６４と第二配索部側部位６６が伸縮変形可能な第二伸縮部８２を介して連結されている。また、基端側電線保持部６０に保持された被覆電線３２が、分岐部６２ａ，６２ｂ，６２ｃ，６２ｄにより複数の配索経路に分けて保持されている。さらに、図４に示すように、被覆電線３２が保持される領域７７を備えた分岐部６２ｂ，６２ｃ，６２ｄでは、領域７７を区画する一対の側壁７４，７４が電線配索体４４の電線配索用通路４２を構成する一対の側壁８８，８８の対向面間に収容されるようになっている。
【００４０】
続いて、本実施形態の作用効果について説明する。本実施形態によれば、予めサブアッシプロテクタ５８に対して複数の被覆電線３２を配索経路毎に分けて保持した状態で、絶縁プレート２４に設けられた電線配索体４４の電線配索用通路４２に組付けることができる。それゆえ、複数の被覆電線３２の一方の端部に設けられた接続部たる電圧検出端子２８を所定のバスバー用収容枠部２２に収容されたバスバー２０上に容易に重ね合せて固定することができる。その結果、従来構造で問題であった、被覆電線３２の絡みや、配索方向の間違いなどの問題が生じ難く、被覆電線３２の配索作業の作業性向上と、誤配索発生の低減乃至は防止を有利に達成することができる。
【００４１】
サブアッシプロテクタ５８が外部接続用端子３４に接続される被覆電線３２を保持する基端側電線保持部６０を有していることにより、コネクタ３６を構成する外部接続用端子３４と、被覆電線３２が電池配線モジュール１０から延び出す長さ寸法を、予め正確に設定することができる。特に本実施形態では、分岐従来構造では、被覆電線３２を電池配線モジュール１０に設けられた電線引出口からまとめて引き出す必要があったことから、公差の積み重なりにより電線引出口からコネクタ３６を構成する外部接続用端子３４までの被覆電線３２の長さ寸法が不正確になりがちであった。本実施形態によれば、このような従来構造の問題も有利に解決して、組み付け作業性の更なる向上や製品品質の安定性を実現することができる。
【００４２】
また、サブアッシプロテクタ５８の一対の側壁７４，７４から突出する一対の爪部７６，７６の間から上壁７２に向かって被覆電線３２を押し込むだけで、一対の爪部７６，７６が上壁７２側に弾性変形すると共に、側壁７４が外方に弾性変形することで、上壁７２と側壁７４と爪部７６で囲まれた領域７７内へ被覆電線３２を容易に挿入することができる。挿入後は一対の爪部７６，７６が弾性復帰して、一対の爪部７６，７６間の隙間が縮小乃至は消滅することで、上記領域７７内に被覆電線３２を安定して保持できる。さらに、分岐部６２ｂ，６２ｃ，６２ｄの被覆電線３２が保持される領域７７を区画する一対の側壁７４，７４が電線配索体４４の電線配索用通路４２を構成する一対の側壁８８，８８の対向面間に収容されていることから、被覆電線３２の噛み込みを有利に防止することができる。
【００４３】
本実施形態によれば、基端側電線保持部６０が規制片７０を有することにより、基端側電線保持部６０から引き出される複数の被覆電線３２の延出方向を有利に規制することができる。特に、規制片７０が電線配索体４４と略平行に延び出していることから、ワイヤハーネス８６の上方への突出を抑えることができ、他部材との干渉防止や、電池配線モジュール１０の低背化など、省スペースな被覆電線３２の配索を実現することができる。
【００４４】
サブアッシプロテクタ５８が、電線配索体４４の第一配索部５４と第二配索部５６のそれぞれの一端側と他端側に被覆電線３２を分岐する第一から第四の４つの分岐部６２ａ，６２ｂ，６２ｃ，６２ｄを備えている。それゆえ、電線配索体４４に組み付けられる複数の被覆電線３２を考えられ得る全ての配索方向に対して確実に整理して保持することができる。特に、本実施形態では、サブアッシプロテクタ５８は電線配索体４４の長手方向の中央よりもやや右寄りの位置に設けられている。これにより、各分岐部６２ａ〜６２ｄに収容される被覆電線３２の量を有利に分散化乃至は均等化することができる。なお、サブアッシプロテクタ５８の電線配索体４４への組み付け位置は、基端側電線保持部６０から引き出される被覆電線３２が接続される外部機器の配設位置に応じて任意に設定可能である。それゆえ、本実施形態においても、外部機器まで延ばす被覆電線３２の長さを短くすることができる位置に、サブアッシプロテクタ５８が取り付けられている。
【００４５】
また、電線配索体４４の第一配索部５４と第二配索部５６が伸縮変形可能な第一伸縮部５７を介して連結されている。これにより、電池集合体１２における各電池セル１４の一対の電極端子１８ａ，１８ｂ間の寸法公差を有利に吸収することができる。さらに、サブアッシプロテクタ５８の第一配索部側部位６４と第二配索部側部位６６が、伸縮変形可能な第二伸縮部８２を介して連結されている。それゆえ、サブアッシプロテクタ５８の第一配索部側部位６４を第一配索部５４に組み付け、第二配索部側部位６６を第二配索部５６に組み付けた場合でも、第二伸縮部８２により電線配索体４４の第一配索部５４と第二配索部５６の変位に追従することができる。
【００４６】
サブアッシプロテクタ５８が把持部８０を有していることから、サブアッシプロテクタ５８を電線配索体４４に組み付ける際に、作業者や組み付け用の設備が把持部８０を把持することができ、組み付け作業を容易化することができる。さらに、サブアッシプロテクタ５８に対して被覆電線３２を組み付ける際には、把持部８０を治具に保持させることができることから、被覆電線３２の組み付け作業の容易化も併せて達成できる。
【００４７】
＜変形例１＞
以上、本開示の具体例として、実施形態１について詳述したが、本開示はこの具体的な記載によって限定されない。本開示の目的を達成できる範囲での変形、改良等は本開示に含まれるものである。例えば次のような実施形態の変形例１も本開示の技術的範囲に含まれる。
（１）本開示の電池配線モジュール１０では、電線配索体４４に対して１つのサブアッシプロテクタ５８を組み付ける構造の電池配線モジュール１０として説明したが、これに限定されない。電池集合体１２の構成に応じて、複数のサブアッシプロテクタ５８を組み付けるようにしてもよい。また、部品交換等の観点から、サブアッシプロテクタ５８は、電線配索体４４に対してロック機構等を介して着脱自在に組み付けられることが好ましいが、離脱不能に組み付けられてもよい。なお、サブアッシプロテクタ５８に保持される被覆電線３２の一方の端部に設けられる接続部としては、電圧検出端子２８や測温素子３８など、要求される用途に応じた任意のものが採用され得る。
（２）本開示の電池配線モジュール１０では、分岐電線保持部を構成する第二分岐部６２ｂ，第三分岐部６２ｃ，第四分岐部６２ｄに加え、連結部６８が、被覆電線３２が保持される領域７７を有していたが、これに限定されない。サブアッシプロテクタ５８が装着される電線配索体４４側の形状等に応じて、サブアッシプロテクタ５８の任意の部位に１つまたは複数の領域７７が設けられていればよいし、領域７７は必須ではない。
（３）本開示のサブアッシプロテクタ５８は、１つの基端側電線保持部６０と、分岐電線保持部となる４つの分岐部６２ａ，６２ｂ，６２ｃ，６２ｄを有していたが、基端側電線保持部６０や分岐電線保持部の数や組み合わせは、配線構造に応じて任意に設定が可能である。例えば、分岐電線保持部の数は、１個でもよい。
（４）本開示の電池配線モジュール１０では、電池集合体１２の複数の電池セル１４を、隣接する電池セル１４が並列接続された複数の電池セル１４群を直列接続する構成のものを例示して説明を行ったが、それに限定されない。例えば、隣接する電池セル１４の全てが直列に接続された電池集合体においては、バスバー２０の数やバスバー２０に接続される電圧検出用等の被覆電線３２の数が増大することから、サブアッシプロテクタの利点を一層有利に活用することができる。
【符号の説明】
【００４８】
１０  電池配線モジュール
１２  電池集合体
１４  電池セル
１６  電池セルケース
１８  電極端子
１８ａ  正電極端子
１８ｂ  負電極端子
１８ｃ  端子列
２０  バスバー
２２  バスバー用収容枠部
２４  絶縁プレート
２６  貫通孔
２８  電圧検出端子（接続部）
３０  圧着部
３２  被覆電線
３４  外部接続用端子
３６  コネクタ
３８  測温素子
４０  連結部
４１  測温素子収容部
４２  電線配索用通路
４４  電線配索体
４６  樋状部
４８  蓋
５０  係合枠体
５２  係合突起
５４  第一配索部
５６  第二配索部
５７  第一伸縮部
５８  サブアッシプロテクタ
６０  基端側電線保持部
６２ａ  第一分岐部（分岐電線保持部）
６２ｂ  第二分岐部（分岐電線保持部）
６２ｃ  第三分岐部（分岐電線保持部）
６２ｄ  第四分岐部（分岐電線保持部）
６４  第一配索部側部位
６６  第二配索部側部位
６８  連結部
７０  規制片
７２  上壁
７４  側壁
７６  爪部
７７  領域
７８  係合突起
８０  把持部
８２  第二伸縮部
８４  結束テープ
８６  ワイヤハーネス
８８  側壁
【図１】
2020194675.tif 000003
【図２】
2020194675.tif 000004
【図３】
2020194675.tif 000005
【図４】
2020194675.tif 000006
【図５】
2020194675.tif 000007
【図６】
2020194675.tif 000008
【手続補正書】
【提出日】令和2年3月3日(2020.3.3)
【手続補正１】
【補正対象書類名】明細書
【補正対象項目名】０００８
【補正方法】変更
【補正の内容】
【０００８】
【図１】図１は、実施形態１に係る電池配線モジュールと電池集合体を示す分解斜視図である。
【図２】図２は、図１に示す電池配線モジュールの分解斜視図である。
【図３】図３は、図１に示す電池配線モジュールの要部拡大斜視図である。
【図４】図４は、図３におけるＩＶ−ＩＶ断面要部拡大図である。
【図５】図５は、図３に示すサブアッシプロテクタの拡大斜視図である。
【図６】図６は、図５に示すサブアッシプロテクタを別の方向から見た斜視図である。
【手続補正２】
【補正対象書類名】明細書
【補正対象項目名】００１９
【補正方法】変更
【補正の内容】
【００１９】
（８）上記（７）において、前記電線配索体の前記第一配索部と前記第二配索部が、伸縮変形可能な第一伸縮部を介して連結されており、前記サブアッシプロテクタが、前記第一分岐部と前記第二分岐部を含む第一配索部側部位と、前記第三分岐部と前記第四分岐部を含む第二配索部側部位とを含んでおり、前記第一配索部側部位は前記第一配索部に嵌合され、前記第二配索部側部位は前記第二配索部に嵌合され、前記第一配索部側部位と前記第二配索部側部位は伸縮変形可能な第二伸縮部を介して連結されていることが好ましい。電池集合体においては、各電池セルの一対の電極端子間の寸法公差があることから、寸法公差を吸収するように、複数の電池セルの一方側の電極端子側に配置されている電線配索体の第一配索部と、他方側の電極端子側に配置されている第二配索部とが、第一伸縮部を介して連結されている。さらに、サブアッシプロテクタが、第一分岐部と第二分岐部を含む第一配索部側部位と、第三分岐部と第四分岐部を含む第二配索部側部位とを含んでおり、第一配索部側部位と第二配索部側部位が伸縮変形可能な第二伸縮部を介して連結されている。それゆえ、サブアッシプロテクタの第一配索部側部位を第一配索部に組み付け、第二配索部側部位を第二配索部に組み付ける構成を採用した場合でも、サブアッシプロテクタが電線配索体の第一配索部と第二配索部の変位に追従して伸縮変位することができる。これにより、各電池セルの一対の電極端子間の寸法公差の吸収が可能なサブアッシプロテクタを電線配索体に安定して組み付け状態に保持できる。
【手続補正３】
【補正対象書類名】明細書
【補正対象項目名】００３８
【補正方法】変更
【補正の内容】
【００３８】
＜電池配線モジュール１０の組み付け工程＞
続いて、電池配線モジュール１０の組み付け工程の一例について説明する。電池配線モジュール１０の組み付け工程は、以下の記載に限定されない。
まず、一方の端部に電圧検出端子２８が圧着され、もう一方の端部に外部接続用端子３４が接続された被覆電線３２と、一方の端部に測温素子３８が接続され、もう一方の端部に外部接続用端子３４が接続された被覆電線３２を、例えば配索治具を用いて所望の形状に構成する。このように所望の形状に構成された複数の被覆電線３２に対して、サブアッシプロテクタ５８を組み付ける。組み付けは、例えば、配線板の所定位置にサブアッシプロテクタ５８を図６に示す上下逆向きでセットして行ってもよい。この時、サブアッシプロテクタ５８の一対の把持部８０，８０が治具に保持されることで、サブアッシプロテクタ５８が配線板上で位置決めされて保持される。このようにして、上下逆向きにセットされたサブアッシプロテクタ５８の基端側電線保持部６０と各分岐部６２ａ〜６２ｄに対して、上方から複数の被覆電線３２を組み付ける。この際、被覆電線３２が保持される領域７７を有する第二分岐部６２ｂ，第三分岐部６２ｃ，第四分岐部６２ｄと、連結部６８では、一対の爪部７６，７６が下方に向かって弾性変形すると共に一対の側壁７４が外方に向かって弾性変形することにより、領域７７への複数の被覆電線３２の挿入が許容され、複数の被覆電線３２が領域７７に収容されると、一対の爪部７６，７６が弾性復帰して複数の被覆電線３２の領域７７からの離脱が防止される。ここで、サブアッシプロテクタ５８の各分岐部６２ａ〜６２ｄや連結部６８に配索された被覆電線３２はサブアッシプロテクタ５８に対して非固定の状態で保持されている。
そして、外部接続用端子３４はコネクタ３６に挿入される。基端側電線保持部６０に配索された外部接続用端子３４に接続される被覆電線３２を、基端側電線保持部６０からコネクタ３６までの寸法が、所定の寸法となるように調整した状態で、規制片７０に対して例えば結束テープ８４を用いて固定する。なお、規制片７０に対する被覆電線３２の固定方法は、結束テープ８４の他に結束バンド等を用いた任意の固定方法が採用され得る。
【手続補正４】
【補正対象書類名】明細書
【補正対象項目名】００４７
【補正方法】変更
【補正の内容】
【００４７】
＜変形例１＞
以上、本開示の具体例として、実施形態１について詳述したが、本開示はこの具体的な記載によって限定されない。本開示の目的を達成できる範囲での変形、改良等は本開示に含まれるものである。例えば次のような実施形態の変形例１も本開示の技術的範囲に含まれる。
（１）本開示の電池配線モジュール１０では、電線配索体４４に対して１つのサブアッシプロテクタ５８を組み付ける構造を電池配線モジュール１０として説明したが、これに限定されない。電池集合体１２の構成に応じて、複数のサブアッシプロテクタ５８を組み付けるようにしてもよい。また、部品交換等の観点から、サブアッシプロテクタ５８は、電線配索体４４に対してロック機構等を介して着脱自在に組み付けられることが好ましいが、離脱不能に組み付けられてもよい。なお、サブアッシプロテクタ５８に保持される被覆電線３２の一方の端部に設けられる接続部としては、電圧検出端子２８や測温素子３８など、要求される用途に応じた任意のものが採用され得る。
（２）本開示の電池配線モジュール１０では、分岐電線保持部を構成する第二分岐部６２ｂ，第三分岐部６２ｃ，第四分岐部６２ｄに加え、連結部６８が、被覆電線３２が保持される領域７７を有していたが、これに限定されない。サブアッシプロテクタ５８が装着される電線配索体４４側の形状等に応じて、サブアッシプロテクタ５８の任意の部位に１つまたは複数の領域７７が設けられていればよいし、領域７７は必須ではない。
（３）本開示のサブアッシプロテクタ５８は、１つの基端側電線保持部６０と、分岐電線保持部となる４つの分岐部６２ａ，６２ｂ，６２ｃ，６２ｄを有していたが、基端側電線保持部６０や分岐電線保持部の数や組み合わせは、配線構造に応じて任意に設定が可能である。例えば、分岐電線保持部の数は、１個でもよい。
（４）本開示の電池配線モジュール１０では、電池集合体１２の複数の電池セル１４を、隣接する電池セル１４が並列接続された複数の電池セル１４群を直列接続する構成のものを例示して説明を行ったが、それに限定されない。例えば、隣接する電池セル１４の全てが直列に接続された電池集合体においては、バスバー２０の数やバスバー２０に接続される電圧検出用等の被覆電線３２の数が増大することから、サブアッシプロテクタの利点を一層有利に活用することができる。